(57)【要約】【課題】煩雑な操作を行うことなく、画像データを用いる処理の実行時において必要とされるパラメータを表示させつつ、その画像データに基づく画像を十分に見易い大きさで表示し得る画像表示装置を提供する。【解決手段】画像データＤｇに基づく画像を表示装置１５に表示させると共に画像データＤｇを用いる所定の処理を実行する主制御部２０と、主制御部２０に対して所定の処理の実行を指示するためのリモコン３と、画像データＤｇに関するパラメータと所定の処理とを対応付けるための対応付けデータＤｃを記憶するメモリ１８とを備え、主制御部２０は、リモコン３による実行の指示をする操作が行われたときに、所定の処理に対応付けられたパラメータを対応付けデータＤｃに基づいて特定し、特定したパラメータを画像と共に表示装置１５に表示させるパラメータ表示処理を実行する。【選択図】図１
2006300977.tif 000002
【特許請求の範囲】
【請求項１】
画像データに基づく画像を表示部に表示させると共に当該画像データを用いる所定の処理を実行する制御部と、前記制御部に対して前記所定の処理の実行を指示するための操作部とを備えた画像表示装置であって、
前記画像データに関するパラメータと前記所定の処理とを対応付けるための対応付けデータを記憶する記憶部を備え、
前記制御部は、前記操作部により実行の指示が行われたときに、前記所定の処理に対応付けられた前記パラメータを前記記憶部の前記対応付けデータに基づいて特定し、当該特定したパラメータを前記画像と共に前記表示部に表示させるパラメータ表示処理を実行する画像表示装置。
【請求項２】
前記制御部は、前記画像を前記表示部に一覧表示させる一覧表示処理、前記画像データを記憶部に書き込むデータ書込処理、および前記画像を印刷部に印刷させる印刷処理の少なくとも１つを前記所定の処理として実行する請求項１記載の画像表示装置。
【請求項３】
前記制御部は、前記画像を前記表示部に一覧表示させるときに、前記パラメータ表示処理において当該各画像についての前記パラメータを当該各画像と共に表示させる請求項１または２記載の画像表示装置。
【請求項４】
前記操作部は、前記所定の処理と前記パラメータとの対応付けを設定する設定操作が可能に構成され、
前記制御部は、前記設定操作によって設定された内容の前記対応付けデータを生成して前記記憶部に記憶させる請求項１から３のいずれかに記載の画像表示装置。
【請求項５】
前記パラメータは、前記画像データの生成日時、前記画像データのデータサイズ、および前記画像データに基づいて算出される所定データの少なくとも１つを含んで構成される請求項１から４のいずれかに記載の画像表示装置。
【発明の詳細な説明】
【技術分野】
【０００１】
本発明は、画像データに基づく画像を表示部に表示させると共に画像データを用いる所定の処理を実行する画像表示装置に関するものである。
【背景技術】
【０００２】
この種の装置として、特開２００１−５２１９１号公報に開示された情報処理装置が知られている。この情報処理装置は、ディスプレイの表示画面内に設定されたサムネイル画像表示領域、付属情報表示領域および詳細画像表示領域に、サムネイル画像、付属情報および詳細画像がそれぞれ表示されるように構成されている。この場合、この情報処理装置では、マウスを用いた操作によってサムネイル画像表示領域および付属情報表示領域を縮小させることにより、その縮小分だけ詳細画像表示領域を拡大させることが可能となっている。したがって、詳細画像を大きく表示できる結果、不要物の写り込みの有無やカラーバランスの確認を容易に行うことが可能となっている。
【特許文献１】特開２００１−５２１９１号公報（第５−６頁、第３−４図）
【発明の開示】
【発明が解決しようとする課題】
【０００３】
ところが、上記の情報処理装置には、以下の問題点がある。すなわち、この情報処理装置では、サムネイル画像表示領域および付属情報表示領域を縮小させることで、詳細画像表示領域を拡大している。この場合、例えば、付属情報が複数存在するときには、付属情報表示領域を縮小させたことで、全ての付属情報の表示が困難となることがある。このため、例えば、複数の付属情報のうちの所定の付属情報を見ながら詳細画像を確認するような使用状態において、必要とする付属情報が表示されないときには、付属情報表示領域を元の大きさに戻して付属情報を確認する必要があり、操作が煩雑となるという問題点が存在する。また、上記の情報処理装置では、サムネイル画像表示領域および付属情報表示領域を縮小する際に、マウスを用いる操作が必要となっている。この場合、例えば、この情報処理装置をテレビに適用したときには、一般的なテレビがマウスを使用可能に構成されていないため、これらの操作をリモコンを用いて行うこととなる。しかしながら、リモコンではクリック操作やドラック操作が困難なため、これらの操作自体が困難となるという問題点も存在する。
【０００４】
本発明は、かかる問題点に鑑みてなされたものであり、煩雑な操作を行うことなく、画像データを用いる処理の実行時において必要とされるパラメータを表示させつつ、その画像データに基づく画像を十分に見易い大きさで表示し得る画像表示装置を提供することを主目的とする。
【課題を解決するための手段】
【０００５】
上記目的を達成すべく本発明に係る画像表示装置は、画像データに基づく画像を表示部に表示させると共に当該画像データを用いる所定の処理を実行する制御部と、前記制御部に対して前記所定の処理の実行を指示するための操作部とを備えた画像表示装置であって、前記画像データに関するパラメータと前記所定の処理とを対応付けるための対応付けデータを記憶する記憶部を備え、前記制御部は、前記操作部により実行の指示が行われたときに、前記所定の処理に対応付けられた前記パラメータを前記記憶部の前記対応付けデータに基づいて特定し、当該特定したパラメータを前記画像と共に前記表示部に表示させるパラメータ表示処理を実行する。
【０００６】
この画像表示装置では、制御部が、画像データを用いる所定の処理の実行の指示が行われたときに、その処理に対応付けられたパラメータを対応付けデータに基づいて特定し、そのパラメータを画像と共に表示させるパラメータ表示処理を実行する。このため、その処理に必要とされるパラメータだけを表示させて、他のパラメータの表示を省略することができるため、その分、パラメータの表示領域を小さく抑えることができる。したがって、パラメータの表示領域を縮小させたり拡大させたりするような煩雑な操作を行うことなく、画像データを用いる所定の処理の実行時に必要とされるパラメータを表示させつつ、画像を十分に見易い大きさで表示させることができる。
【０００７】
また、本発明に係る画像表示装置は、上記の画像表示装置において、前記制御部は、前記画像を前記表示部に一覧表示させる一覧表示処理、前記画像データを記憶部に書き込むデータ書込処理、および前記画像を印刷部に印刷させる印刷処理の少なくとも１つを前記所定の処理として実行する。
【０００８】
この画像表示装置では、制御部が、一覧表示処理、データ書込処理および印刷処理の少なくとも１つを実行し、その実行時にパラメータ表示処理を実行する。このため、これらの処理の実行時に必要とされるパラメータを表示させつつ、画像を十分に見易い大きさで表示させることができる。
【０００９】
また、本発明に係る画像表示装置は、上記の画像表示装置において、前記制御部は、前記画像を前記表示部に一覧表示させるときに、前記パラメータ表示処理において当該各画像についての前記パラメータを当該各画像と共に表示させる。
【００１０】
この画像表示装置では、制御部が、画像を一覧表示させるときに、各画像についての各パラメータを各画像と共に表示させる。このため、複数の画像を一覧表示するときにおいても、各画像を十分に見易い大きさで表示させることができる。
【００１１】
また、本発明に係る画像表示装置は、上記の画像表示装置において、前記操作部は、前記所定の処理と前記パラメータとの対応付けを設定する設定操作が可能に構成され、前記制御部は、前記設定操作によって設定された内容の前記対応付けデータを生成して前記記憶部に記憶させる。
【００１２】
この画像表示装置では、制御部が、設定操作によって設定された内容を含む対応付けデータを記憶部に記憶させる。このため、画像データを用いる処理の実行時に表示させるパラメータを好みに応じて任意に選択することができる。
【００１３】
また、本発明に係る画像表示装置は、上記の画像表示装置において、前記パラメータは、前記画像データの生成日時、前記画像データのデータサイズ、および前記画像データに基づいて算出される所定データの少なくとも１つを含んで構成される。
【００１４】
この画像表示装置では、制御部が、画像データの生成日時、画像データのデータサイズおよび画像データに基づいて算出される所定データの少なくとも１つを表示させる。この場合、これらが、画像データを用いる処理の実行に当たって、その処理の対象とする画像データを選択する際の重要な目安となる。したがって、この画像表示装置によれは、処理対象の画像データを容易に選択することができる。
【発明を実施するための最良の形態】
【００１５】
以下、本発明に係る画像表示装置の最良の形態について、添付図面を参照して説明する。図１に示すリアプロジェクションテレビ（以下、単に「テレビ」ともいう）１は、本発明に係る画像表示装置を組み込んだテレビの一例であって、本体部２およびリモコン３を備えている。本体部２は、チューナ１１、放送信号処理部１２、音響装置１３、データ入力部１４、表示装置１５、ドライブ装置１６、プリンタ１７、メモリ１８、受光部１９および主制御部２０を備えている。この場合、表示装置１５、主制御部２０およびリモコン３によって本発明に係る画像表示装置が構成される。
【００１６】
チューナ１１は、主制御部２０の制御に従い、例えば、リモコン３の操作によって選局されたチャンネルの放送信号Ｓｂを図外のアンテナで受信した放送波から抽出して、主制御部２０に出力する。放送信号処理部１２は、例えば、ＩＦ回路、音声検波回路、映像検波回路およびＡ／Ｄ変換部（いずれも図示せず）などを備えて構成され、主制御部２０の制御に従い、主制御部２０を介して入力した放送信号Ｓｂに基づく映像データＤｐおよび音声データＤｓを主制御部２０に出力する。音響装置１３は、音声処理部３１およびスピーカ３２を備えている。音声処理部３１は、主制御部２０を介して入力した音声データＤｓに基づく音声信号Ｓｓをスピーカ３２に出力する。スピーカ３２は、音声処理部３１から出力された音声信号Ｓｓに基づく音声を出力する。
【００１７】
データ入力部１４は、メモリカードスロット４１およびメモリカードコントローラ４２を備えている。メモリカードスロット４１は、テレビ１の正面パネルに形成された挿入口２ａ（図２参照）から挿入されたメモリカード４（同図および図１参照）を接続可能に構成されている。この場合、メモリカード４は、一例として、ＪＰＥＧ形式の静止画像データやＭＰＥＧ形式の動画像データ（以下、これらのデータを「画像データＤｇ」ともいう）を記録（記憶）可能に構成された汎用性を有する情報記録媒体であって、各種の電子機器（例えば、テレビ１やデジタルカメラ）の間でデータの受け渡しをする際に用いられる。メモリカードコントローラ４２は、主制御部２０の制御に従い、メモリカード４に記録されている画像データＤｇを読み出して主制御部２０に出力する。
【００１８】
表示装置１５は、本発明における表示部に相当し、表示制御部５１、光学エンジン５２およびスクリーンパネル５３を備えている。表示制御部５１は、主制御部２０の制御に従い、主制御部２０を介して入力した映像データＤｐや画像データＤｇに基づく表示用信号Ｓｅを生成して光学エンジン５２に出力する。光学エンジン５２は、本体部２の内部に配設されて、表示制御部５１から出力された表示用信号Ｓｅに基づいて変調した投射光Ｌをスクリーンパネル５３の背面側から投射する。具体的には、光学エンジン５２は、例えば、光源と、光変調素子（一例として、デジタルマイクロミラーデバイスや液晶ライトバルブ）と、投射レンズ（いずれも図示せず）とを備えている。スクリーンパネル５３は、図２に示すように、本体部２の前面側に配設されて、光学エンジン５２から投射された投射光Ｌを受光してテレビ映像Ｐｔ（図２参照）や、画像Ｇ１（図３参照：以下、画像の内容を区別しないときには「画像Ｇ」ともいう）を表示する。
【００１９】
ドライブ装置１６は、主制御部２０の制御に従い、例えば、ＣＤ−ＲやＣＤ−ＲＷ等の書き込み可能な光記録媒体５（図１，２参照）に画像データＤｇを書き込む。プリンタ１７は、主制御部２０の制御に従い、主制御部２０から出力されるプリント用のイメージデータＤｉに基づく画像をプリントする。メモリ１８は、本発明における記憶部に相当し、主制御部２０によって実行されるサムネイル表示処理（一覧表示処理）、データ書込処理およびプリント処理（印刷処理）等の各種の処理（本発明における所定の処理）と、データ生成日時やデータサイズ等の画像データＤｇに関するパラメータとを対応付けるための対応付けデータＤｃを記憶する。受光部１９は、リモコン３から出力された赤外線信号Ｓｉを受光して光電変換することにより、リモコン３による操作内容を示す操作信号Ｓｏを主制御部２０に出力する。
【００２０】
主制御部２０は、本発明における制御部に相当し、受光部１９から出力された操作信号Ｓｏ、つまりリモコン３の操作に従って制御信号Ｓｃを出力することにより、テレビ１を構成する各構成要素を制御する。具体的には、主制御部２０は、放送信号Ｓｂに基づくテレビ映像Ｐｔを表示させる映像表示処理を実行すると共に、メモリカード４等に記録されている画像データＤｇに基づく画像Ｇを表示させる画像表示処理を実行する。また、主制御部２０は、複数の画像データＤｇに基づく各画像Ｇを一覧表示させるサムネイル表示処理、画像データＤｇを光記録媒体５に書き込ませるデータ書込処理、および画像Ｇをプリントアウトさせるプリント処理等の画像データＤｇを用いる各種の処理を実行する。この場合、主制御部２０は、画像データＤｇを用いるこれらの各処理を実行する際に、メモリ１８から対応付けデータＤｃを読み出して、画像データＤｇの生成日時、画像データＤｇのデータサイズ、および画像Ｇのプリントに必要なインク使用量（本発明における所定データ）等の画像データＤｇに関する各種のパラメータの中から、対応付けデータＤｃによって各処理に対応付けられたパラメータを画像Ｇと共に表示させるパラメータ表示処理を実行する。
【００２１】
リモコン３は、本発明における操作部に相当し、図２に示すように、本体部２とは別体に形成されている。また、リモコン３は、電源スイッチ６１、チャンネルスイッチ６２，６２・・、画像表示スイッチ６３、カーソルキー６４および決定スイッチ６５などの各種スイッチが配列されて構成され、これらの各スイッチやキーが操作されたときに、これらに対応する赤外線信号Ｓｉを出力する。
【００２２】
次に、テレビ１の全体的な動作について、図面を参照して説明する。このテレビ１では、リモコン３の電源スイッチ６１が操作されたときに、表示装置１５の光学エンジン５２に電源が供給されて光源が発光し、主制御部２０が映像表示処理を実行する。具体的には、主制御部２０は、直前の電源切断時に選択されていたチャンネル（例えばチャンネルＣＨ３）を選局させる制御信号Ｓｃをチューナ１１に出力すると共に、映像データＤｐおよび音声データＤｓを出力させる制御信号Ｓｃを放送信号処理部１２に出力する。また、主制御部２０は、そのチャンネルのテレビ映像Ｐｔを表示させる制御信号Ｓｃを表示装置１５の表示制御部５１に出力すると共に、そのチャンネルの音声を出力させる制御信号Ｓｃを音響装置１３の音声処理部３１に出力する。次に、チューナ１１が、制御信号Ｓｃに従ってチャンネルＣＨ３の放送信号Ｓｂを抽出し、放送信号処理部１２が、制御信号Ｓｃに従って放送信号Ｓｂに基づく映像データＤｐおよび音声データＤｓを主制御部２０を介して表示制御部５１および音声処理部３１にそれぞれ出力する。次いで、表示制御部５１が、制御信号Ｓｃに従い、映像データＤｐに基づく表示用信号Ｓｅを光学エンジン５２に出力する。これに応じて、光学エンジン５２が光源からの光を表示用信号Ｓｅに基づいて投射光Ｌに変調して、スクリーンパネル５３に投射する。これにより、図２に示すように、チャンネルＣＨ３のテレビ映像Ｐｔがスクリーンパネル５３に表示される。また、音声処理部３１が、制御信号Ｓｃに従い、音声データＤｓに基づく音声信号Ｓｓをスピーカ３２に出力する。これにより、チャンネルＣＨ３の音声がスピーカ３２から出力される。
【００２３】
一方、例えば、メモリカード４に記録されている画像データＤｇに基づく画像Ｇをテレビ１に表示させるときには、図２に示すように、メモリカード４を正面パネルの挿入口２ａからメモリカードスロット４１に挿入した後に、リモコン３の画像表示スイッチ６３を操作する。この際に、リモコン３が画像表示スイッチ６３に対応する赤外線信号Ｓｉを出力し、受光部１９が赤外線信号Ｓｉを受光して操作信号Ｓｏを出力する。次に、主制御部２０は、操作信号Ｓｏに従い、例えば、生成日時（撮影日時）が最も早い（日付が古い）画像データＤｇを読み出させる制御信号Ｓｃをデータ入力部１４のメモリカードコントローラ４２に出力する。次いで、メモリカードコントローラ４２が、制御信号Ｓｃに従い、メモリカード４に記録されている各画像データＤｇの中から、生成日時が最も早い画像データＤｇを読み出して主制御部２０に出力する。
【００２４】
続いて、主制御部２０は、メモリカードコントローラ４２から出力された画像データＤｇを表示装置１５の表示制御部５１に転送する。また、主制御部２０は、画像データＤｇに基づく画像Ｇをメニュー画面Ｐｍ（図３参照）と共に表示させる制御信号Ｓｃを表示制御部５１に出力する。次に、表示制御部５１が制御信号Ｓｃに従って表示用信号Ｓｅを出力することにより、同図に示すように、画像Ｇ１がメニュー画面Ｐｍと共にスクリーンパネル５３に表示される。この場合、メニュー画面Ｐｍ内には、サムネイル表示処理、データ書込処理およびプリント処理等の画像データＤｇを用いる各種の処理を実行させるためのボタン画像Ｇｂ１〜Ｇｂ８（以下、区別しないときには「画像Ｇｂ」ともいう）が表示されている。
【００２５】
次に、メモリカード４に記録されている複数の画像データＤｇに基づく各画像Ｇをサムネイル表示（一覧表示）させるときには、図４に示すように、リモコン３のカーソルキー６４を操作して、メニュー画面Ｐｍ内における「サムネイル」の文字が付されたボタン画像Ｇｂ１にカーソルＣ１を移動させた後に、リモコン３の決定スイッチ６５を操作する。この際に、主制御部２０は、受光部１９から出力された操作信号Ｓｏに基づき、サムネイル表示処理（本発明におけるデータ処理の一例）の実行を指示する指示操作（本発明における指示操作）が行われたと判別する。この場合、主制御部２０は、生成日時が早い順に所定数（例えば９つ）の画像データＤｇ，Ｄｇ・・を読み出させる制御信号Ｓｃをデータ入力部１４のメモリカードコントローラ４２に出力する。これに応じて、メモリカードコントローラ４２が、画像データＤｇ，Ｄｇ・・をメモリカード４から読み出して主制御部２０に出力する。次いで、主制御部２０は、メモリカードコントローラ４２から出力された各画像データＤｇ，Ｄｇ・・をその生成日時順に並び替えて表示制御部５１に転送する。
【００２６】
一方、主制御部２０は、操作信号Ｓｏが出力されたとき、つまりサムネイル表示処理の実行を指示する指示操作が行われたときに、パラメータ表示処理を実行する。このパラメータ表示処理では、主制御部２０は、メモリ１８から対応付けデータＤｃ読み出して、サムネイル表示処理に対応付けられたパラメータを特定する。この場合、例えば、画像データＤｇの生成日時（画像データＤｇに関するパラメータの一例）がサムネイル表示処理に対応付けられているときには、主制御部２０は、各画像データＤｇ，Ｄｇ・・から各々の生成日時を抽出する。続いて、主制御部２０は、各画像データＤｇ，Ｄｇ・・の各々の生成日時を示す各パラメータ画像Ｇｐ，Ｇｐ・・を各画像データＤｇ，Ｄｇ・・に基づく各画像Ｇ，Ｇ・・と共にサムネイル表示させる制御信号Ｓｃを表示制御部５１に出力する。次に、表示制御部５１が制御信号Ｓｃに従ってサムネイル表示用の表示用信号Ｓｅを出力することにより、図４に示すように、各画像データＤｇ，Ｄｇ・・に基づく９つの画像Ｇ１〜Ｇ９が、各々の生成日時を示す各パラメータ画像Ｇｐ，Ｇｐ・・と共に、スクリーンパネル５３にサムネイル表示される。この場合、サムネイル表示において一般的に必要とされる生成日時（撮影日時）を示すパラメータ画像Ｇｐだけが表示されて、他のパラメータを示すパラメータ画像Ｇｐの表示が省略されるため、その分、パラメータ画像Ｇｐの表示領域が小さく抑えられる結果、数多くの画像Ｇを見易い大きさでサムネイル表示することが可能となる。
【００２７】
次いで、一覧表示された画像Ｇ１〜Ｇ９の中から所望の画像Ｇを選択して光記録媒体５にその画像データＤｇを書き込ませるときには、図２に示すように、光記録媒体５をドライブ装置１６にセットする。続いて、リモコン３のカーソルキー６４を操作して、図５に示すように、メニュー画面Ｐｍ内の「書き込み」の文字が付されたボタン画像Ｇｂ２にカーソルＣ１を移動させた後に、リモコン３の決定スイッチ６５を操作する。この際に、主制御部２０は、受光部１９から出力された操作信号Ｓｏに基づき、データ書込処理（本発明におけるデータ処理の一例）の実行を指示する指示操作（本発明における指示操作）が行われたと判別して、パラメータ表示処理を実行する。このパラメータ表示処理では、主制御部２０は、メモリ１８から読み出した対応付けデータＤｃに基づいて、データ書込処理に対応付けられたパラメータを特定する。この場合、例えば、各画像データＤｇの各データサイズ（画像データＤｇに関するパラメータの一例）がデータ書込処理に対応付けられているときには、主制御部２０は、各画像データＤｇの各データサイズを特定する。次に、主制御部２０は、各画像データＤｇのデータサイズを示すパラメータ画像ＧｐおよびチェックボックスＣｂ（いずれも同図参照）を各画像データＤｇに基づく各画像Ｇと共に表示させる制御信号Ｓｃを表示制御部５１に出力する。次いで、表示制御部５１が制御信号Ｓｃに従って表示用信号Ｓｅを出力することにより、同図に示すように、各画像データＤｇ，Ｄｇ・・の各データサイズを示すパラメータ画像Ｇｐ，Ｇｐ・・およびチェックボックスＣｂ，Ｃｂ・・が画像Ｇ１〜Ｇ９と共にスクリーンパネル５３に表示される。
【００２８】
続いて、各画像Ｇ１〜Ｇ９の中から所望の画像Ｇを選択する。この場合、リモコン３のカーソルキー６４を操作して、図５に示すように、所望の画像ＧにカーソルＣ２を移動させた後に、リモコン３の決定スイッチ６５を操作する。この際に、主制御部２０が操作信号Ｓｏに従って制御信号Ｓｃを出力することにより、同図に示すように、選択された画像ＧのチェックボックスＣｂにチェックマークが表示される。次に、上記と同様の操作により、所望の画像Ｇの選択を繰り返す。この場合、各画像データＤｇのデータサイズを示すパラメータ画像Ｇｐが画像Ｇと共に表示されているため、光記録媒体５に記録可能な画像データＤｇの数を容易に把握することが可能となる。また、データ書込処理の際に一般的に必要とされるデータサイズを示すパラメータ画像Ｇｐだけが表示されて、他のパラメータを示すパラメータ画像Ｇｐの表示が省略されるため、パラメータ画像Ｇｐの表示領域が小さく抑えられる結果、複数の画像Ｇを見易い大きさでサムネイル表示させた状態で所望の画像Ｇの選択を行うことが可能となる。
【００２９】
次いで、リモコン３のカーソルキー６４を操作して、メニュー画面Ｐｍ内の「実行」の文字が付されたボタン画像Ｇｂ７（図５参照）にカーソルＣ１を移動させた後に、リモコン３の決定スイッチ６５を操作する。この際に、主制御部２０は、受光部１９から出力された操作信号Ｓｏに従い、選択された画像Ｇの画像データＤｇを読み出させる制御信号Ｓｃをメモリカードコントローラ４２に出力する。これに応じて、メモリカードコントローラ４２が、制御信号Ｓｃによって指定された画像データＤｇをメモリカード４から読み出して主制御部２０に出力する。続いて、主制御部２０は、画像データＤｇをドライブ装置１６に転送すると共に、書き込みを指示する制御信号Ｓｃを出力する。これに応じて、ドライブ装置１６が、転送された画像データＤｇを光記録媒体５に書き込む。
【００３０】
一方、一覧表示された画像Ｇ１〜Ｇ９の中から所望の画像Ｇを選択してその画像Ｇをプリントアウトさせるときには、リモコン３のカーソルキー６４を操作して、図６に示すように、メニュー画面Ｐｍ内の「プリント」の文字が付されたボタン画像Ｇｂ３にカーソルＣ１を移動させた後に、リモコン３の決定スイッチ６５を操作する。この際に、主制御部２０は、受光部１９から出力された操作信号Ｓｏに基づき、プリント処理（本発明における所定の処理）の実行を指示する指示操作（本発明における指示操作）が行われたと判別して、パラメータ表示処理を実行する。このパラメータ表示処理では、主制御部２０は、メモリ１８から読み出した対応付けデータＤｃに基づいて、プリント処理に対応付けられたパラメータを特定する。この場合、例えば、画像Ｇのプリントに必要なインク使用量（画像データＤｇに関するパラメータ、および所定データの一例）がプリント処理に対応付けられているときには、主制御部２０は、プリンタ１７のインク使用量に関するデータと、各画像データＤｇのデータサイズとに基づき、各画像Ｇについてのインク使用量を算出する。次に、主制御部２０が制御信号Ｓｃを出力し、表示制御部５１が制御信号Ｓｃに従って表示用信号Ｓｅを出力することにより、同図に示すように、各画像Ｇ１〜Ｇ９についてのインク使用量を示すパラメータ画像Ｇｐ，Ｇｐ・・およびチェックボックスＣｂ，Ｃｂ・・が各画像Ｇ１〜Ｇ９と共にスクリーンパネル５３に表示される。
【００３１】
次いで、リモコン３のカーソルキー６４および決定スイッチ６５を操作して各画像Ｇ１〜Ｇ９の中からプリントを希望する画像Ｇを選択する。この場合、画像Ｇについてのインク使用量を示すパラメータ画像Ｇｐが画像Ｇと共に表示されているため、例えば、各画像Ｇについてのインク使用量とプリンタ１７のインク残量とを比較することで、プリント可能な画像Ｇの数を容易に把握することが可能となる。また、プリント処理の際に必要とされるインク使用量を示すパラメータ画像Ｇｐだけが表示されて、他のパラメータを示すパラメータ画像Ｇｐの表示が省略されるため、パラメータ画像Ｇｐの表示領域が小さく抑えられる結果、複数の画像Ｇを見易い大きさでサムネイル表示させた状態でプリントを希望する画像Ｇの選択が可能となる。
【００３２】
続いて、リモコン３のカーソルキー６４を操作して、メニュー画面Ｐｍ内の「実行」の文字が付されたボタン画像Ｇｂ７にカーソルＣ１を移動させた後に、リモコン３の決定スイッチ６５を操作する。この際に、主制御部２０は、受光部１９から出力された操作信号Ｓｏに従い、選択された画像Ｇの画像データＤｇを読み出させる制御信号Ｓｃをメモリカードコントローラ４２に出力する。これに応じて、メモリカードコントローラ４２が制御信号Ｓｃによって指定された画像データＤｇをメモリカード４から読み出して主制御部２０に出力する。次に、主制御部２０は、画像データＤｇをプリント用のイメージデータＤｉに変換してプリンタ１７に出力すると共に、プリントを指示する制御信号Ｓｃをプリンタ１７に出力する。これに応じて、プリンタ１７がイメージデータＤｉに基づく画像Ｇをプリントアウトする。
【００３３】
一方、上記したサムネイル表示処理、データ書込処理およびプリント処理と各パラメータとの関連付けを変更するときは、リモコン３のカーソルキー６４を操作して、図７に示すように、メニュー画面Ｐｍ内の「設定」の文字が付されたボタン画像Ｇｂ４にカーソルＣ１を移動させた後に、リモコン３の決定スイッチ６５を操作する。この際に、主制御部２０が操作信号Ｓｏに基づいて同図に示す設定用画面Ｐｓを表示させる制御信号Ｓｃを出力し、表示制御部５１が制御信号Ｓｃに従って表示用信号Ｓｅを出力する。これにより、同図に示すように、設定用画面Ｐｓがスクリーンパネル５３に表示される。次に、リモコン３のカーソルキー６４および決定スイッチ６５を操作して、同図に示すように、記録日時、データサイズ、プリント時間およびインク使用量などの画像データＤｇに関する各種のパラメータの中から、各処理の実行時に画像Ｇと共に表示させるべきパラメータを選択する。次いで、主制御部２０は、操作信号Ｓｏに基づき、新たに選択された各パラメータと各処理とを対応付けた対応付けデータＤｃを生成してメモリ１８に記憶させる。
【００３４】
続いて、リモコン３のカーソルキー６４および決定スイッチ６５を操作して、図８に示すように、メニュー画面Ｐｍ内における「サムネイル」の文字が付されたボタン画像Ｇｂ１を選択したときには、主制御部２０が、上記のサムネイル表示処理、およびパラメータ表示処理を実行する。これにより、サムネイル表示処理に対応付けられたパラメータを示すパラメータ画像Ｇｐ，Ｇｐ・・が、各画像Ｇ１〜Ｇ９と共にスクリーンパネル５３に表示される。この場合、これらの各パラメータ画像Ｇｐは、上記の操作で新たに生成された対応付けデータＤｃによってサムネイル表示処理に対応付けられたパラメータ（図７に示す記録日時およびデータサイズ）を示している。以下、主制御部２０は、リモコン３の操作によって指示操作が行われる度に、上記の各処理を実行する。
【００３５】
このように、このテレビ１によれば、サムネイル表示処理、データ書込処理およびプリント処理等の画像データＤｇを用いる所定の処理の実行の指示が行われたときに、主制御部２０が、その処理に対応付けられたパラメータを対応付けデータＤｃに基づいて特定し、そのパラメータを示すパラメータ画像Ｇｐを画像Ｇと共に表示装置１５に表示させるパラメータ表示処理を実行することにより、その処理に必要とされるパラメータを示すパラメータ画像Ｇｐだけを表示させて、他のパラメータを示すパラメータ画像Ｇｐの表示を省略することができるため、その分、パラメータ画像Ｇｐの表示領域を小さく抑えることができる。したがって、パラメータ画像Ｇｐの表示領域を縮小させたり拡大させたりするような煩雑な操作を行うことなく、画像データＤｇを用いる所定の処理の実行時に必要とされるパラメータを表示させつつ、画像Ｇを十分に見易い大きさで表示させることができる。
【００３６】
また、画像Ｇをサムネイル表示するときに、主制御部２０が各画像についての各パラメータ画像Ｇｐを各画像Ｇと共に表示装置１５に表示させることにより、複数の画像Ｇをサムネイル表示させるときにおいても、各画像Ｇを十分に見易い大きさで表示させることができる。
【００３７】
また、主制御部２０が、設定操作によって設定された内容を含む対応付けデータＤｃをメモリ１８に記憶させることにより、画像データＤｇを用いる処理の実行時に表示させるパラメータ画像Ｇｐを好みに応じて任意に選択することができる。
【００３８】
また、主制御部２０は、画像データＤｇの生成日時、画像データＤｇのデータサイズおよび画像データＤｇに基づいて算出される所定データの少なくとも１つを示すパラメータ画像Ｇｐを表示装置１５に表示させる。この場合、これらが、画像データＤｇを用いる処理の実行に当たって、その処理の対象とする画像データＤｇを選択する際の重要な目安となる。したがって、このテレビ１によれは、処理対象の画像データＤｇを容易に選択することができる。
【００３９】
なお、本発明は、上記の構成に限定されない。例えば、サムネイル表示処理、データ書込処理およびプリント処理を実行するテレビ１に本発明を適用した例について上記したが、これらの処理に限定されず、例えば、画像データＤｇの圧縮処理や、画像データＤｇに対するデータ形式の変換処理等の画像データＤｇを用いる各種の処理を実行するテレビに本発明を適用することができる。この場合、例えば、画像データＤｇの圧縮処理には、画像データＤｇのデータサイズを対応付け、データ形式の変換処理には、画像データＤｇの拡張子を対応付けることで、各処理に必要とされるパラメータだけを表示させて、他のパラメータの表示を省略することができるため、その分、パラメータの表示領域を小さく抑えることができる結果、画像Ｇを十分に見易い大きさで表示させることができる。
【００４０】
また、光学エンジン５２およびスクリーンパネル５３を備えて表示装置１５を構成した例について上記したが、ＣＲＴ、液晶表示パネルおよびプラズマディスプレイを備えた表示装置を採用することもできる。さらに、ドライブ装置１６およびプリンタ１７を備えたテレビ１を例に挙げて説明したが、必ずしもこれらを備えている必要はなく、外部のドライブ装置やプリンタにデータを出力可能なテレビに本発明を適用することもできる。また、テレビに限定されず、プロジェクタやパソコン等の画像を表示可能な各種の装置に本発明を適用することもできる。
【図面の簡単な説明】
【００４１】
【図１】テレビ１の構成を示すブロック図である。
【図２】テレビ１の正面図である。
【図３】画像Ｇ１の表示画面図である。
【図４】一覧表示処理を実行しているときの画像Ｇ１〜Ｇ９の表示画面図である。
【図５】データ書込処理を実行しているときの画像Ｇ１〜Ｇ９の表示画面図である。
【図６】プリント処理を実行しているときの画像Ｇ１〜Ｇ９の表示画面図である。
【図７】設定用画面Ｐｓの表示画面図である。
【図８】一覧表示処理を再実行しているときの画像Ｇ１〜Ｇ９の表示画面図である。
【符号の説明】
【００４２】
１  テレビ、３  リモコン、１５  表示装置、１８  メモリ、２０  主制御部、Ｄｃ  対応付けデータ、Ｄｇ  画像データ、Ｇ  画像、Ｇｐ  パラメータ画像
【図１】
2006300977.tif 000003
【図２】
2006300977.tif 000004
【図３】
2006300977.tif 000005
【図４】
2006300977.tif 000006
【図５】
2006300977.tif 000007
【図６】
2006300977.tif 000008
【図７】
2006300977.tif 000009
【図８】
2006300977.tif 000010